【事件の表示】
　特願２０１２−１６７７０１「電子機器及びそのバックアッププログラム」拒絶査定不服審判事件〔平成２６年　２月　６日出願公開、特開２０１４−　２６５４４、請求項の数（８）〕について、次のとおり審決する。
【結　論】
　原査定を取り消す。
　本願の発明は、特許すべきものとする。
【理　由】
第１．手続の経緯
　本願は、平成２４年７月２７日の出願であって、平成２６年６月３０日付けで拒絶理由が通知され、平成２６年９月５日付けで手続補正がなされたが、平成２６年１０月２７日付けで拒絶査定がなされたものであり、これを不服とし、平成２７年１月３０日に本件審判請求がなされると同時に同日付で手続補正がなされた。
　
第２．平成２７年１月３０日付け手続補正について
１．補正の内容
　この補正により補正された請求項１−８の記載は次のとおりである。
「【請求項１】
　ユーザーの機器設定による複数の項目毎の設定値の変更を複数の記憶部のミラーリング領域に各別に記憶してミラーリングを行う電子機器であって、
　前記項目毎の設定値が対応する初期値と異なる場合に前記設定値をミラーリング対象として選択すると共に同初期値と同じ場合に前記設定値をミラーリング対象とはしない対象選択部と、
　前記ミラーリング対象の設定値に対して指定されているミラーリングの優先度を少なくとも判断する優先度判断部と、
　前記判断された優先度が相対的に高い設定値を優先して残すように前記ミラーリングを行うミラーリング実行部とを備え、
　前記ミラーリング実行部は、前記判断の結果から前記ミラーリング対象の設定値の優先度よりも低い前記既存の設定値がある場合に、その既存の設定値に前記ミラーリング対象の設定値を残すように前記ミラーリングを行い、前記判断の結果から、前記ミラーリング対象の設定値の優先度と前記既存の設定値の優先度が同一の場合、既存の状態を優先するときには既存の設定値を、最新の情報を優先するときにはミラーリング対象の設定値を残す設定に基づいて前記ミラーリングを行う、
　ことを特徴とする電子機器。
【請求項２】
　請求項１記載の電子機器であって、
　前記優先度判断部は、ミラーリング対象の設定値よりも大きいデータサイズを有する既存の設定値、又は合計のデータサイズがミラーリング対象の設定値よりも大きくなる複数の既存の設定値を優先度の比較対象としてミラーリング領域内に記憶されている既存の設定値の優先度及びミラーリング対象の設定値の優先度を比較判断する、
　ことを特徴とする電子機器。
【請求項３】
　請求項１記載の電子機器であって、
　前記ミラーリング対象の設定値を記憶するための前記ミラーリング領域の空き容量を確認する容量確認部を備え、
　前記優先度判断部は、前記空き容量が前記ミラーリング対象の設定値に対して不足する場合に、前記ミラーリング領域内に記憶されている既存の設定値の優先度及び前記ミラーリング対象の設定値の優先度を比較判断し、
　前記ミラーリング実行部は、前記比較判断の結果から前記ミラーリングを行い、
　前記容量確認部は、前記複数の記憶部の記憶容量が相違する場合、前記記憶容量の小さい方の記憶部に対して前記ミラーリング領域の空き容量を確認する、
　ことを特徴とする電子機器。
【請求項４】
　請求項１〜３の何れか一項に記載の電子機器であって、
　前記項目毎に前記優先度をユーザーに指定させる優先度指定部を備えた、
　ことを特徴とする電子機器。
【請求項５】
　請求項１〜４の何れか一項に記載の電子機器であって、
　前記機器設定は、前記複数の項目の設定値によって複数の異なる機能に対して行われ、
　前記複数の項目は、各機能に関連付けて複数群に分類され、同一群を構成する項目に対して同一の優先度が指定される、
　ことを特徴とする電子機器。
【請求項６】
　ユーザーの機器設定に対する複数の項目毎の設定値を複数の記憶部のミラーリング領域に各別に記憶してミラーリングを行う電子機器のバックアッププログラムであって、
　前記項目毎の設定値が対応する初期値と異なる場合に前記設定値をミラーリングの対象として選択すると共に同初期値と同じ場合に前記設定値をミラーリング対象とはしない対象選択手順と、
　少なくとも前記ミラーリング対象の設定値に対して指定されているミラーリングの優先度を判断する優先度判断手順と、
　前記判断された優先度が相対的に高い設定値を優先して残すように前記ミラーリングを行うミラーリング実行手順とをコンピューターに実行させ、
　前記ミラーリング実行手順は、前記判断の結果から前記ミラーリング対象の設定値の優先度よりも低い前記既存の設定値がある場合に、その既存の設定値に前記ミラーリング対象の設定値を残すように前記ミラーリングを行い、前記判断の結果から、前記ミラーリング対象の設定値の優先度と前記既存の設定値の優先度が同一の場合、既存の状態を優先するときには既存の設定値を、最新の情報を優先するときにはミラーリング対象の設定値を残す設定に基づいて前記ミラーリングを行う、
　ことを特徴とするバックアッププログラム。
【請求項７】
　請求項６記載のバックアッププログラムであって、
　前記優先度判断手順は、ミラーリング対象の設定値よりも大きいデータサイズを有する既存の設定値、又は合計のデータサイズがミラーリング対象の設定値よりも大きくなる複数の既存の設定値を優先度の比較対象としてミラーリング領域内に記憶されている既存の設定値の優先度及びミラーリング対象の設定値の優先度を比較判断する、
　ことを特徴とするバックアッププログラム。
【請求項８】
　請求項６記載のバックアッププログラムであって、
　前記ミラーリング対象の設定値を記憶するための前記ミラーリング領域の空き容量を確認する容量確認手順を備え、
　前記優先度判断手順は、前記空き容量が前記ミラーリング対象の設定値に対して不足する場合に、前記ミラーリング領域内に記憶されている既存の設定値の優先度及び前記ミラーリング対象の設定値の優先度を判断し、
　前記ミラーリング実行手順は、前記ミラーリング対象の設定値が前記既存の設定値よりも高い優先度の場合に前記ミラーリングを行い、
　前記容量確認手順は、前記複数の記憶部の記憶容量が相違する場合、前記記憶容量の小さい方の記憶部に対して前記ミラーリング領域の空き容量を確認する、
　ことを特徴とするバックアッププログラム。」
　
２．補正の適否
（１）新規事項及びシフト補正
　本件の補正は、願書に最初に添付した明細書、特許請求の範囲又は図面に記載された事項の範囲内においてしたものである。また、補正前後の発明は、単一性の要件を満たす一群の発明に該当するものである。
（２）補正の目的
　補正後の請求項１（及び請求項１を引用する請求項２、４、５）は、補正前の請求項１（及び請求項１を引用する請求項２、４、５）の発明特定事項である「ミラーリング実行部」を限定したものであり、この補正は特許請求の範囲の減縮を目的とするものである。
　補正後の請求項３（及び請求項３を引用する請求項４、５）は、補正前の請求項３（及び請求項３を引用する請求項４、５）の発明特定事項である「ミラーリング実行部」及び「容量確認部」を限定したものであり、この補正は特許請求の範囲の減縮を目的とするものである。
　補正後の請求項６（及び請求項６を引用する請求項７）は、補正前の請求項６（及び請求項６を引用する請求項７）の発明特定事項である「ミラーリング実行手順」を限定したものであり、この補正は特許請求の範囲の減縮を目的とするものである。
　補正後の請求項８は、補正前の請求項８の発明特定事項である「ミラーリング実行手順」及び「容量確認手順」を限定したものであり、この補正は特許請求の範囲の減縮を目的とするものである。
　また、補正前の各請求項に記載された発明と補正後の各請求項に記載された発明の産業上の利用分野及び解決しようとする課題は同一である。
（３）独立特許要件
　補正後の請求項１−８に係る補正は、特許法第１７条の２第５項第２号でいう特許請求の範囲の減縮を目的とするものであるから、これらの請求項に記載された事項により特定される発明が特許出願の際独立して特許を受けることができるものであるか否かについて以下に検討する。
　
ア．本件補正発明
　上記補正後の請求項１−８に係る発明は、特許請求の範囲の請求項１−８に記載された事項により特定されるものであるところ、その請求項１に係る発明（以下、「本件補正発明」という）は、請求項１に記載された次のとおりのものである。
　
［本件補正発明］
　ユーザーの機器設定による複数の項目毎の設定値の変更を複数の記憶部のミラーリング領域に各別に記憶してミラーリングを行う電子機器であって、
　前記項目毎の設定値が対応する初期値と異なる場合に前記設定値をミラーリング対象として選択すると共に同初期値と同じ場合に前記設定値をミラーリング対象とはしない対象選択部と、
　前記ミラーリング対象の設定値に対して指定されているミラーリングの優先度を少なくとも判断する優先度判断部と、
　前記判断された優先度が相対的に高い設定値を優先して残すように前記ミラーリングを行うミラーリング実行部とを備え、
　前記ミラーリング実行部は、前記判断の結果から前記ミラーリング対象の設定値の優先度よりも低い前記既存の設定値がある場合に、その既存の設定値に前記ミラーリング対象の設定値を残すように前記ミラーリングを行い、前記判断の結果から、前記ミラーリング対象の設定値の優先度と前記既存の設定値の優先度が同一の場合、既存の状態を優先するときには既存の設定値を、最新の情報を優先するときにはミラーリング対象の設定値を残す設定に基づいて前記ミラーリングを行う、
　ことを特徴とする電子機器。
　
イ．刊行物
（ア）刊行物１
ａ．刊行物１の記載事項
　原査定の拒絶の理由で引用された特開２００１−２４９８５２号公報（以下、「刊行物１」という）には、図面とともに次の事項が記載されている（下線部は当審により付与した）。
　
「【発明の詳細な説明】
【０００１】
【発明の属する技術分野】
この発明は、動作条件の設定状態をバックアップする方法を改良した電子楽器などの電子機器に関する。
　
「【００２３】
【発明の実施の形態】以下、図面を参照しつつ、この発明の好適な実施例について詳述する。なお、以下の実施例では、電子機器として電子楽器が用いられ、そのパネル設定について説明されるが、これは単なる一例であって、この発明の精神を逸脱しない範囲で種々の変更が可能である。
【００２４】〔ハードウエア構成〕図１には、この発明の一実施例による電子楽器システムのハードウエア構成のブロック図が示されている。この例では、電子楽器システムは、中央処理装置（ＣＰＵ）１、読出専用メモリ（ＲＯＭ）２、ランダムアクセスメモリ（ＲＡＭ）３、バックアップメモリ４、外部記憶装置５、設定操作子装置６、演奏操作子装置７、表示装置８、音源９、ディジタル信号処理装置（ＤＳＰ）１０、サウンドシステム１１、インターフェイス１２等を備え、これらの装置１〜１２は、バス１３を介して互いに接続されている。
【００２５】システム全体を制御するＣＰＵ１は、所定のプログラムに従って、電子楽器としての演奏情報処理を行うとともに、この発明による初期化処理やパネル設定処理を遂行する。ＲＯＭ２には、このシステムを制御するための所定の制御プログラムが記憶されており、これらの制御プログラムには、基本的な演奏情報処理プログラムの外、この発明による初期化プログラムやパネル設定プログラム等が含まれる。ＲＡＭ３は、一般的に使用されているＤＲＡＭ等で構成された記憶部であり、システムの電源がオンの時に有効となり、電子楽器の設定や動作の処理のために、制御プログラムや電子楽器の設定状態や演奏等に関する各種データを保持するのに使用される記憶領域である。
【００２６】バックアップメモリ４は、電子機器について初期の設定状態から変更された機能設定状態（機器設定情報）を記憶するためのメモリであり、電子楽器本体の電源を落しても、記憶した情報を保持し残しておく機能を有し、例えば、フラッシュメモリで構成される。このフラッシュメモリは、周知のように、電気的に消去（書換え）が可能なＲＯＭであって、記憶されたデータは電源を切っても消えないのでバックアップ電源が不要であり、ＤＲＡＭに比べて安価である。フラッシュメモリは、また、ランダムに読出しを行うことができるが、ブロック（バンク）単位で消去／書込みが可能でシーケンシャルにデータを書き込まれなければならないという特性がある。
【００２７】この実施例では、バックアップメモリ４には、機器設定情報をバックアップするために、少なくとも２つの記憶ブロック（バンク）が用いられる（各記憶ブロックは、それぞれ、バックアップメモリ部Ａ及びバックアップメモリ部Ｂと呼ぶものとする。）。各バックアップメモリ部Ａ，Ｂは、機器の動作条件（動作パラメータ）の設定操作に応じて、設定内容の変更情報を順次記憶することができ、これらの順次変更情報から成る履歴データを含む機器設定情報を二重記憶するための記憶ブロックである。各バックアップメモリ部Ａ，Ｂに記憶された機器設定情報は、特定のタイミングで、或いは、所定の操作に応じて、最新の設定状態を表わす機器設定情報に書き換えることができる。
【００２８】外部記憶装置５は、ハードディスクドライブ（ＨＤＤ）、フロッピィディスクドライブ（ＦＤＤ）、ＣＤ−ＲＯＭドライブ等から成り、演奏情報（楽曲データ）や、設定操作子装置６により設定された電子楽器の機能設定情報（以下、「機器設定情報」という。）の読出しまたは読書き可能な記憶装置である。
【００２９】パネル操作子装置６は、電子楽器の操作パネル上或いは他の箇所に設けられたスイッチやつまみ類の操作子を備えパネル操作情報入力部である。これらのパネル操作子には、再生、早送りやセーブ等の動作指示を行う動作指示操作子等の外に、この電子楽器システムに対して音色や効果等の各種機能の設定（パネル設定と呼ばれる）を行うための「設定操作子」が含まれる。従って、この設定操作子を操作することにより、各種機能の設定状態を表わす機器設定情報を任意に変更してシステムに入力することができる。また、動作指示操作子には、設定操作子により入力されてきた現状の機器設定情報を確定し、最新の設定状態のセーブを指示するための「セットスイッチ」と呼ばれる設定確定用操作子が含まれる。
【００３０】演奏操作子装置７は、鍵盤等の演奏用操作子の操作により演奏操作情報を入力するための演奏操作情報入力部である。表示装置８は、機器の設定情報や演奏上の各種情報を表示するための表示器や各種インジケータを備えた表示部である。表示器には液晶ディスプレイ等が用いられ、ディスプレイやインジケータは、操作パネル上のパネル操作子に並置することができる。
【００３１】音源９及びＤＳＰ１０は、演奏情報処理により得られる演奏データを所望の音情報に変換及び加工し、サウンドシステム１１を介してアナログ信号にし増幅してスピーカにて放音させる。また、入／出力インターフェイス１２には別の外部機器１４が接続可能であり、インターフェイス１２を介して、この電子楽器システムと外部機器１４との間で楽音データ（ＭＩＤＩ等）や機器設定情報等の送受信を行なうことができる。
【００３２】〔バックアップメモリでのデータ整理〕この発明による一実施例では、設定操作子による機器動作条件の設定操作に応じて、機器の動作条件が設定変更されると共に、バックアップメモリの少なくとも２つの記憶ブロック（バンク）には、最新の機器設定情報に加えて、その後設定変更された内容を表わす変更分（差分、変化分）情報が順次追加的に記憶（追記）される。このように、何度も追記されることによって、バックアップメモリには、新たに記憶し得る容量が徐々に減ってくる。そこで、電源の立下げ又は立上げ時や、設定確定用操作子の操作時等に、各記憶ブロックは、クリアして新たな最新機器設定情報（ミラー）を再度書き込み直し、記憶内容がデータ量の少ない最新機器設定情報に書き換えられる。図２は、この発明の一実施例による電子機器のバックアップメモリにおける最新の機器設定情報の再現態様を説明するための図である。
【００３３】この発明の一実施例による電子機器システムにおける動作を図２を用いて端的に説明すると、機器の動作条件を表わす機器設定情報を保存するのに、フラッシュメモリのような電源の非供給時にも記憶内容の維持が可能なバックアップメモリ４が使用され、バックアップメモリ４は、独立して消去・書込みが可能な記憶ブロック（前述のように、「バックアップメモリ部」と呼ぶ。）を少なくとも２つ備えている。いま、図２（左側）において、２つの記憶ブロック（バックアップメモリ部）Ａ，Ｂには、工場出荷時に初期設定されていた状態から前回の機器使用までに変更された機器設定情報を既に整理した機器設定情報ＳＤ０が、実態データとして、既に記憶されているものとする。
【００３４】ここで、パネル操作子４内の設定操作子等の操作により機器の動作条件の設定入力を行うと、バックアップメモリ部Ａ，Ｂ内の実態データＳＤ０の記憶領域に続く順次記憶領域に、この設定入力毎に、設定変更された設定情報ＳＤ１，ＳＤ２，ＳＤ３，…が、履歴データとして、順次、追記される（図２左）。バックアップメモリ部Ａ，Ｂに記憶された機器設定情報（図２左）は、電源立上げなどの特定のタイミングで、或いは、セーブ指示等に応じて、整理され、新たな実態データＳＤ０（図２右）に書き換えられる。以下に、その詳細を説明しよう。
【００３５】バックアップメモリ４は、図示のように、複数の記憶ブロック（バンク）Ａ，Ｂ，Ｃ，Ｄ，…を有し、システムの電源を立ち上げた後では、左側に示すように、バックアップメモリ部Ａ，Ｂには、設定設定項目ａ〜ｎについて既に整理された機器設定情報ＳＤ０が記憶されており、この機器設定情報ＳＤ０は、その後機器の動作条件を設定変更しない間は、この電子楽器システムの設定変更可能な動作条件について実態的な設定データ（実態データ）を提供する。
【００３６】
パネル操作子６内の設定操作子を操作して或る動作条件について設定値の変更（例えば、設定項目ｂ→設定項目ｂ１）を行うと、機器の動作条件が設定変更されるとともに、各バックアップメモリ部Ａ，Ｂに、設定変更された内容を表わす変更分情報（例えば、設定項目ｂ１）ＳＤ１が比較的高速で追加的に記憶（追記）される。このような追記は、図２の左側に変更分情報（例えば、設定項目ｄ１，ｂ２，…）ＳＤ２，ＳＤ３，…で示すように、設定操作子の設定操作毎にシーケンシャルに行われ、しかも、各バックアップメモリ部Ａ，Ｂに対して順次（例えば、Ａ→Ｂの順で）同じ情報が追記される。
　
「【００５４】〔パネル設定処理〕図５には、図３のステップＲ２におけるパネル設定処理ルーチンの一例が示されている。このパネル設定ルーチンの第１ステップＴ１では、パネル操作子装置６のパネル操作子の操作等によりパネル操作等による入力（各種機能設定入力やその他の入力）に変化があったかをチェックし、変化があればステップＴ２の処理にいき、そうでなければリターンする。ステップＴ２では、さらに、ステップＴ１での入力の内容がシステムの各種機能（動作条件）の設定に関する入力であるか否かを判断し、機能設定の場合はステップＴ３，Ｔ４の処理へ行き、そうでない場合にはステップＴ５に進む。
【００５５】ステップＴ３では、この電子楽器システムに対して機能設定を実行し、変更設定に対応するＲＡＭ（ＤＲＡＭ）３の記憶箇所のデータを書き換える。続くステップＴ４では、変更した内容、つまり、変更設定した変更分（差分）機器設定情報を、順次、バックアップメモリ４内の２つのバックアップメモリ部Ａ，Ｂに逐次的に、追記することにより、機器の機能設定が変更された際のバックアップを行う。このバックアップ（変更分機器設定情報の追記）は．通常、逐次的に行われ、例えば、先ず、バックアップメモリ部Ａに書き込み、そして、バックアップメモリ部Ｂに書き込むというような手順になる（なお、コンピュータのような常用の逐次情報処理ではなく、同時処理が可能な技術下であれば、同時に行なってもよい）。」
　
ｂ．刊行物１発明
　以上の記載から、刊行物１には、次の発明（以下、「刊行物１発明」という）が記載されていると認められる。
　
［刊行物１発明］
　ユーザがパネル操作子６内の設定操作子を操作して或る動作条件について設定値の変更（例えば、設定項目ｂ→設定項目ｂ１）を行うと、機器の動作条件が設定変更されるとともに、各バックアップメモリ部Ａ，Ｂに、設定変更された内容を表わす変更分情報（例えば、設定項目ｂ１）ＳＤ１が比較的高速で追加的に記憶（追記）され、このような追記は、図２の左側に変更分情報（例えば、設定項目ｄ１，ｂ２，…）ＳＤ２，ＳＤ３，…で示すように、設定操作子の設定操作毎にシーケンシャルに行われ、しかも、各バックアップメモリ部Ａ，Ｂに対して順次（例えば、Ａ→Ｂの順で）同じ情報が追記される電子機器。
　
（イ）刊行物２
　原査定の拒絶の理由で引用された特開２００６−１１３９６２号公報（以下、「刊行物２」という）には、図面とともに次の事項が記載されている。
　
「【００８８】
  以上のバックアップ処理により、バックアップ先の空き容量がバックアップ予定のコンテンツより大きい場合には、自動的にバックアップ処理が行われる。また、バックアップ先の空き容量が不足している場合において、バックアップ先に嗜好値が低いコンテンツが存在し、かつ、動作モードがAutoに設定されている場合においても、自動的にバックアップ先の嗜好値の低いコンテンツが削除された後、バックアップ処理が行われる。これらにより、ユーザは、情報処理装置１の記録媒体３９に記録されているコンテンツのうち、ユーザにとって重要度の高いコンテンツを、ミラーサーバ３に自動的にバックアップさせることが可能となる。
【００８９】
  さらに、バックアップ先の空き容量が不足している場合において、バックアップ先に嗜好値が低いコンテンツが存在し、かつ、動作モードがNormalに設定されている場合には、バックアップ先のコンテンツの削除を促す画面をユーザに呈示することができる。これにより、ユーザは、ミラーサーバ３に既にバックアップされているコンテンツのうち、優先度が低い（不要）と判断したコンテンツを選択、削除することで、新たなコンテンツをミラーサーバ３にバックアップさせることが可能となる。」
　
（ウ）刊行物３
　原査定の拒絶の理由で引用された特開平１１−５３８８３号公報（以下、「刊行物３」という）には、図面とともに次の事項が記載されている。
　
「【００１７】同じバックアップされるＤＲＡＭでもストアされているデータによって優先度がある場合、優先度の高いデータをできるだけ長くバックアップするために、レジスタにバックアップの優先度を設定する。バックアップ電圧を監視し、電圧の低下を検出すると、選択回路１４1〜１４nにより設定された優先度の低いＤＲＡＭのバックアップを停止する。その状態でバックアップを続け、再度電圧の低下を検出すると次に低い優先度のＤＲＡＭのバックアップを停止する。この動作を繰り返して優先度の高いデータを長く保持するように制御する。」
　
（エ）刊行物４
　原査定の拒絶の理由で引用された特開２００９−２１７８８号公報（以下、「刊行物４」という）には、図面とともに次の事項が記載されている。
　
「【００１８】
  この分散記憶システムにおける重要度とは、例えば、人命に関わる防災等に関するデバイスと接続されているデバイスコントローラの動作設定情報は、重要度が高い。また、火災（熱検知）センサ、煙センサを接続しているデバイスコントローラの動作設定情報も同様に、分散記憶システムにおける重要度が高く設定される。更に、入出退カメラ、防犯センサといった防犯に関するデバイスと接続されているデバイスコントローラといったような財産を守るデバイスコントローラの動作設定情報は、重要度が高くなる。
【００１９】
  これに対し、人名、財産、防犯には直接的に関連しない空調機器や、照明機器のみを接続しているデバイスコントローラの動作設定情報は、重要度が低くなる。」
　
ウ．本件補正発明と刊行物１発明との対比
　刊行物１発明の「ユーザがパネル操作子６内の設定操作子を操作して或る動作条件について設定値の変更（例えば、設定項目ｂ→設定項目ｂ１）を行う」変更は、「ユーザーの機器設定による複数の項目毎の設定値の変更」といえ、刊行物１発明の「機器の動作条件が設定変更されるとともに、各バックアップメモリ部Ａ，Ｂに、設定変更された内容を表わす変更分情報（例えば、設定項目ｂ１）ＳＤ１が比較的高速で追加的に記憶（追記）され、このような追記は、図２の左側に変更分情報（例えば、設定項目ｄ１，ｂ２，…）ＳＤ２，ＳＤ３，…で示すように、設定操作子の設定操作毎にシーケンシャルに行われ、しかも、各バックアップメモリ部Ａ，Ｂに対して順次（例えば、Ａ→Ｂの順で）同じ情報が追記される」ことは、本件補正発明の「設定値の変更を複数の記憶部のミラーリング領域に各別に記憶してミラーリングを行う」ことに相当する。
　したがって、本件補正発明と刊行物１発明とは、「ユーザーの機器設定による複数の項目毎の設定値の変更を複数の記憶部のミラーリング領域に各別に記憶してミラーリングを行う電子機器」である点で一致する。
　また、刊行物１発明は、「ミラーリングを行う」ものであるから、「前記ミラーリングを行うミラーリング実行部を備える」ものであることは明らかである。
　
　よって、本件補正発明と刊行物１発明の一致点、相違点は次のとおりである。
　
［一致点］
　ユーザーの機器設定による複数の項目毎の設定値の変更を複数の記憶部のミラーリング領域に各別に記憶してミラーリングを行う電子機器であって、
　前記ミラーリングを行うミラーリング実行部を備える
　ことを特徴とする電子機器。
　
［相違点］
相違点１
　本件補正発明は、「前記項目毎の設定値が対応する初期値と異なる場合に前記設定値をミラーリング対象として選択すると共に同初期値と同じ場合に前記設定値をミラーリング対象とはしない対象選択部」を備えるのに対し、刊行物１発明は、そのような構成を備えない点。
　
相違点２
　本件補正発明は、「前記ミラーリング対象の設定値に対して指定されているミラーリングの優先度を少なくとも判断する優先度判断部」を備えるのに対し、刊行物１発明は、そのような構成を備えない点。
　
相違点３
　本件補正発明は、「前記判断された優先度が相対的に高い設定値を優先して残すように前記ミラーリングを行うミラーリング実行部とを備え、
　前記ミラーリング実行部は、前記判断の結果から前記ミラーリング対象の設定値の優先度よりも低い前記既存の設定値がある場合に、その既存の設定値に前記ミラーリング対象の設定値を残すように前記ミラーリングを行い、前記判断の結果から、前記ミラーリング対象の設定値の優先度と前記既存の設定値の優先度が同一の場合、既存の状態を優先するときには既存の設定値を、最新の情報を優先するときにはミラーリング対象の設定値を残す設定に基づいて前記ミラーリングを行う」ものであるのに対し、刊行物１発明は、そのような構成を備えない点。
　
エ．当審の判断
　相違点１について検討する。
　刊行物１発明は、各バックアップメモリ部Ａ，Ｂに、設定変更された内容を表わす変更分情報ＳＤ１が記憶（追記）されるものではあるが、この構成は、本件補正発明でいう「前記設定値をミラーリング対象」としてミラーリングを行うというにとどまり、これが「前記項目毎の設定値が対応する初期値と異なる場合」であるとの特定はなされていなく、また、刊行物１には、そのようにする示唆もない。これについて、刊行物１の【００２６】には、「バックアップメモリ４は、電子機器について初期の設定状態から変更された機能設定状態（機器設定情報）を記憶するためのメモリであり、電子楽器本体の電源を落しても、記憶した情報を保持し残しておく機能を有し、例えば、フラッシュメモリで構成される。」と記載されているが、ここでいう「初期の設定状態」とは、電子楽器本体の電源を入れた直後の設定状態をいうとも解釈され、必ずしも本件補正発明でいう「初期値」に相当するものであるとはいえない。
　また、本件補正発明の「対象選択部」が、「同初期値と同じ場合に前記設定値をミラーリング対象とはしない」点については、刊行物１には、全く記載も示唆もない。刊行物１発明は、設定変更された内容を表わす変更分情報（例えば、設定項目ｂ１）ＳＤ１は、全て、各バックアップメモリ部Ａ，Ｂに、記憶（追記）されるものであって、設定変更された内容が記憶されないことはなく、本件補正発明の「設定値をミラーリング対象とはしない対象選択部」との構成に至る動機付けはない。
　さらに、この相違点１に係る構成については、拒絶の理由で引用された他の刊行物２−４にも記載乃至示唆はされていないし、周知の技術であるともいえないから、刊行物１発明において、相違点１を克服することが容易に想到し得るものであるとする理由はない。
　
　したがって、相違点２、相違点３について検討するまでもなく、本件補正発明（請求項１に係る発明）が刊行物１発明に基づいて当業者が容易に発明をすることができたものとすることはできない。
　
　請求項２−５に係る発明は、上述した本件補正発明（請求項１に係る発明）の全ての発明特定事項を引用するものであるから、本件補正発明（請求項１に係る発明）と同様の理由により、刊行物１発明に基づいて当業者が容易に発明をすることができたものとすることはできない。
　請求項６−８に係る発明は、請求項１−３に係る電子機器の発明のカテゴリーを単に変えてプログラムの発明としたものであるから、本件補正発明（請求項１に係る発明）と同様の理由により、刊行物１発明に基づいて当業者が容易に発明をすることができたものとすることはできない。
　また、他に、補正後の請求項１−８に係る発明が、特許出願の際独立して特許を受けることができないとする理由を発見しない。
　よって、補正後の請求項１−８に係る発明は、特許出願の際独立して特許を受けることができないとすることはできない。
　
３．まとめ
　よって、平成２７年１月３０日付け手続補正は、特許法第１７条の２第３項、第４項、第５項、及び、第６項において準用する同法第１２６条第７項の規定を満たす適法なものである。
　
第３．本願発明について
　平成２７年１月３０日付け手続補正は上述のとおり適法なものであるから、本願の請求項１−８に係る発明は、同手続補正により補正された特許請求の範囲の請求項１−８に記載された事項により特定されるとおりのものである。
　そして、本願については、原査定の理由を検討してもその理由によっては本願を拒絶すべきものとすることはできない。
　また、他に本願を拒絶すべき理由を発見しない。
　よって、結論のとおり審決する。